(57)【要約】      （修正有）【課題】野菜、果実等の生鮮果菜食品を収納しても鮮度の低下がない包装袋を提供する。【解決手段】外装部材と内装部材を重ね合わせた略長方形の包装材を、内装部材を内側にして２つ折りし、対向する一端を開口部とし、両側端を溶着して袋状に形成された包装袋であって、前記外装部材と前記内装部材が重合した任意の箇所をスルーホールされた複数個の熱穴によって溶着することにより通気性と接着を兼ね備えた包装袋とする。【選択図】図１
0003125679.tif 000002
【実用新案登録請求の範囲】
【請求項１】
外装部材と内装部材を重ね合わせた略長方形の包装材を、内装部材を内側にして２つ折りし、対向する一端を開口部とし、両側端を溶着して袋状に形成された包装袋であって、前記外装部材と前記内装部材が重合した任意の箇所をスルーホールされた複数個の熱穴によって溶着することにより通気性と接着を兼ね備えたことを特徴とする包装袋。
【請求項２】
外装部材と内装部材を重ね合わせた略長方形の包装材を、内装部材を内側にして２つ折りし、２つ折りした底部を逆Ｖ字状に折り込んでガゼット部を形成し、対向する一端を開口部とし、両側端を溶着して袋状に形成された包装袋であって、前記外装部材と前記内装部材が重合した任意の箇所をスルーホールされた複数個の熱穴によって溶着することにより通気性と接着を兼ね備えたことを特徴とする包装袋。
【請求項３】
前記熱穴は、前記外装部材と前記内装部材が重合した側面の一部或いは全部に設けられたことを特徴とする請求項１又は請求項２に記載の包装袋。
【請求項４】
前記熱穴は、前記外装部材と前記内装部材が重合した側面の一部及びガゼット部或いは前記外装部材と前記内装部材が重合した側面の全部及びガゼット部に設けられたことを特徴とする請求項２に記載の包装袋。
【請求項５】
前記内装部材の２つ折りした長さは、前記外装部材の２つ折りした長さに対して実質上短くして、前記外装部材と前記内装部材が重合しない前記開口部側に吊り下げ用の吊下孔が設けられたことを特徴とする請求項１乃至請求項４のいずれか１項に記載の包装袋。
【請求項６】
前記外装部材は透明性樹脂フィルムで構成され、前記内装部材は不織布で構成されることを特徴とする請求項１乃至請求項５のいずれか１項に記載の包装袋。
【考案の詳細な説明】
【技術分野】
【０００１】
本考案は、野菜、果実等の内、特に通気性を要する生鮮果菜食品を収納した包装袋に関する。
【背景技術】
【０００２】
従来から包装袋の素材として使用されている合成樹脂製フィルムは衛生的で、湿気、空気に対する遮断性がよく、また、強度を有することから、野菜、果物、乾物、水産練製品、スナック、冷凍食品等の包装袋として広く使用されるに至っている。
【０００３】
このような合成樹脂製フィルム製の包装袋は、湿気を遮断することができ包装物の保存性に優れたものであるが、空気を通さないため、生鮮果菜類の包装袋として用いると、収納した生鮮果菜類が密封され、通気性が乏しく早期に鮮度を低下してしまう。即ち、生鮮果菜類は呼吸により鮮度を維持しているため、通気性を妨げると早期に劣化する。また、バナナ等のようにエチレンガスが発生してさらに過熟が進むと肉質が軟化して商品価値が下落するという問題が指摘されてきた。
【０００４】
この問題を解決するために、包装袋に細かい孔を穿設したり、内側部分が網状、外側部分が単数又は複数個数の通気孔を有するシート状になった、二重構造の包装袋（特許文献１）が開示されている。
【０００５】
【特許文献１】実開平７−４３０４９号公報
【考案の開示】
【考案が解決しようとする課題】
【０００６】
ところが、包装袋に細かい孔を穿設すると、袋を形成する包装材料の強度を低下させるため、包装材料自体に強度の強い材料を使用することが必要となり、包装材料に使用できる材料が制限され、経済的にも不利となる一方、ジャガイモや玉葱などの根野菜等を収納した場合、根野菜等から落ちた土、根、皮等が網目を通って袋の外に抜け落ちるという問題がある。
【０００７】
また、包装袋を二重構造としても、内側部分の網状と外側部分のシート状の通気孔が重ならないため、通気性は十分得られなかった。
【０００８】
本考案の目的は、野菜、果実等の生鮮果菜食品を収納しても鮮度の低下がない包装袋を提供することである。
【課題を解決するための手段】
【０００９】
上記目的を達成するための請求項１記載の包装袋は、外装部材と内装部材を重ね合わせた略長方形の包装材を、内装部材を内側にして２つ折りし、対向する一端を開口部とし、両側端を溶着して袋状に形成された包装袋であって、前記外装部材と前記内装部材が重合した任意の箇所をスルーホールされた複数個の熱穴によって溶着することにより通気性と接着を兼ね備えたものである。
【００１０】
上記目的を達成するための請求項２記載の包装袋は、外装部材と内装部材を重ね合わせた略長方形の包装材を、内装部材を内側にして２つ折りし、２つ折りした底部を逆Ｖ字状に折り込んでガゼット部を形成し、対向する一端を開口部とし、両側端を溶着して袋状に形成された包装袋であって、前記外装部材と前記内装部材が重合した任意の箇所をスルーホールされた複数個の熱穴によって溶着することにより通気性と接着を兼ね備えたものである。
【００１１】
また、請求項３記載の包装袋は、請求項１又は請求項２に記載の包装袋であって、熱穴は、外装部材と内装部材が重合した側面の一部或いは全部に設けられたことを特徴とするものである。
【００１２】
また、請求項４記載の包装袋は、請求項２に記載の包装袋であって、熱穴は、外装部材と内装部材が重合した側面の一部及びガゼット部或いは外装部材と内装部材が重合した側面の全部及びガゼット部に設けられたことを特徴とするものである。
【００１３】
また、請求項５記載の包装袋は、請求項１乃至請求項４のいずれか１項に記載の包装袋であって、内装部材の２つ折りした長さは、外装部材の２つ折りした長さに対して実質上短くして、外装部材と内装部材が重合しない開口部側に吊り下げ用の吊下孔が設けられたことを特徴とするものである。
【００１４】
また、請求項６記載の包装袋は、請求項１乃至請求項５のいずれか１項に記載の包装袋であって、外装部材は透明性樹脂フィルムで構成され、内装部材は不織布で構成されたことを特徴とするものである。
【考案の効果】
【００１５】
本考案による包装袋は、従来の包装袋に比べて以下に示す様な優れた効果を備えている。
【００１６】
請求項１に記載する考案によれば、外装部材と内装部材を重ね合わせた略長方形の包装材を、内装部材を内側にして２つ折りし、対向する一端を開口部とし、両側端を溶着して袋状に形成された包装袋の外装部材と内装部材が重合した任意の箇所をスルーホールされた複数個の熱穴によって溶着しているので、通気性と接着を兼ね備え、野菜、果実等の生鮮果菜食品を収納しても鮮度の低下がない包装袋を提供することができる。
【００１７】
また、請求項２に記載する考案によれば、外装部材と内装部材を重ね合わせた略長方形の包装材を、内装部材を内側にして２つ折りし、２つ折りした底部を逆Ｖ字状に折り込んでガゼット部を形成し、対向する一端を開口部とし、両側端を溶着して袋状に形成された包装袋の外装部材と内装部材が重合した任意の箇所をスルーホールされた複数個の熱穴によって溶着しているので、通気性と接着を兼ね備え、野菜、果実等の生鮮果菜食品を収納しても鮮度の低下がない包装袋を提供することができる。
【００１８】
また、請求項３に記載する考案によれば、熱穴は、外装部材と内装部材が重合した側面の一部或いは全部に設けられているので、より通気性が高く、野菜、果実等の生鮮果菜食品を収納しても鮮度の低下を防ぐことができ、特に、ジャガイモや玉葱などの根野菜等を収納しても、根野菜等から落ちた土、根、皮等が袋の外に抜け落ちることはない。
【００１９】
また、請求項４に記載する考案によれば、熱穴は、外装部材と内装部材が重合した側面の一部及びガゼット部或いは外装部材と内装部材が重合した側面の全部及びガゼット部に設けられているので、より通気性が高く、野菜、果実等の生鮮果菜食品を収納しても鮮度の低下を防ぐことができる。
【００２０】
また、請求項５に記載する考案によれば、内装部材の２つ折りした長さは、外装部材の２つ折りした長さに対して実質上短くして、外装部材と内装部材が重合しない開口部側に吊り下げ用の吊下孔が設けられているので、野菜、果実等の生鮮果菜食品を収納しても持ち運びに便利である。
【００２１】
また、請求項６に記載する考案によれば、外装部材は透明性樹脂フィルムで構成し、内装部材は不織布で構成しているので、野菜、果実等の生鮮果菜食品を収納しても包装袋の強度を保つことができる。
【考案を実施するための最良の形態】
【００２２】
本考案の実施の形態を、添付図面に示した本考案の実施例に基づいて以下に具体的に説明する。
【実施例】
【００２３】
図１は、本考案による包装袋の一実施例を示した正面図である。図２及び図３は、本考案による包装袋の他の実施例を示した正面図である。図４〜図７は、本考案による包装袋の形成過程を示した概略図である。
【００２４】
まず、本考案による包装袋の形成過程を説明する。図４に示したように、包装材５は略長方形の形状で、外装部材３上に外装部材３より長さが短い内装部材４を重ね合わせて構成されている。
【００２５】
この包装材５を、図５に示したように、内装部材４を内側にして２つ折りして底部６を形成する。又、図６に示したように、２つ折りした底部６を逆Ｖ字状に折り込んでガゼット部７を形成する。
【００２６】
そして、図７に示したように、２つ折りした底部６又はガゼット部７に対向する一端を開口部８とし、両側端９、9´を溶着して袋状にして包装袋を形成する。
【００２７】
この包装袋に通気性を持たせるために、外装部材３と内装部材４が重合した任意の箇所にスルーホールされた複数個の熱穴１０を穿孔する。この熱穴１０によって外装部材３と内装部材４の重合箇所を溶着して接着する。
【００２８】
熱穴１０が穿孔される位置は、図１、図２に示した包装袋１、包装袋２１のように、外装部材３と内装部材４が重合した側面の一部、或いは側面の全部に設けられても良く、また、図３に示した包装袋２２のように、外装部材３と内装部材４が重合した側面の一部とガゼット部７、或いは側面の全部とガゼット部７に設けられても良い。
【００２９】
この熱穴１０は、外装部材３と内装部材４とをスルーホールの状態で穿孔されているので、図１〜図３に示した包装袋１、包装袋２１、包装袋２２ともに、外装部材のみに通気孔が設けられた従来に比べ、通気性が更に改善され、野菜、果実等の生鮮果菜食品を収納しても鮮度の低下を防ぐことができる。
【００３０】
特に、図２に示した包装袋２１によれば、熱穴１０はガゼット部７に穿孔されてないので、ジャガイモや玉葱などの根野菜等を収納しても、根野菜等から落ちた土、根、皮等が袋の外に抜け落ちることはない。
【００３１】
また、図１〜図３に示した包装袋１、包装袋２１、包装袋２２ともに、内装部材４の２つ折りした長さは、外装部材３の２つ折りした長さに対して実質上短くして、外装部材３と内装部材４が重合しない開口部側に吊り下げ用の吊下孔１１が設けられている。
【００３２】
なお、吊下孔１１は、図１〜図３に示したように、横長楕円孔を２つ並べても良く、又、１つでも良い。或いは、横長楕円孔ではなく、単なる円孔でも良い。又は、吊下孔１１自体はなくても良い。
【００３３】
また、外装部材３は、包装袋の外装として、ある程度の強度と耐久性が求められ、透明性樹脂フィルムで構成されるのが望ましい。また、内装部材４は包装袋の強度を更に増すとともに、それだけで通気性を有する不織布で構成されるのが望ましい。
【００３４】
このように、透明性樹脂フィルムと不織布で包装袋を構成すれば、熱穴１０で穿孔された部分は通気性が得られ、熱穴１０で穿孔されない部分は空気層によって生鮮果菜食品が保護される。
【産業上の利用可能性】
【００３５】
通気性を必要とする野菜、果実等の生鮮果菜食品だけでなく、布団、毛布等の寝具類や衣類の保管に好適な包装袋としても利用可能である。
【図面の簡単な説明】
【００３６】
【図１】本考案による包装袋の一実施例を示した正面図である。
【図２】本考案による包装袋の他の実施例を示した正面図である。
【図３】本考案による包装袋の他の実施例を示した正面図である。
【図４】包装材の構成を示した斜視図である。
【図５】包装材を折りたたんで底部を形成した斜視図である。
【図６】包装材を折りたたんでガゼット部を形成した斜視図である。
【図７】折りたたんだ包装材の両側端を溶着して袋状にした斜視図である。
【符号の説明】
【００３７】
１、２１，２２  包装袋
３  外装部材
４  内装部材
５  包装材
６  底部
７  ガゼット部
８  開口部
９、9´  側端
１０  熱穴
１１  吊下孔
【図１】
0003125679.tif 000003
【図２】
0003125679.tif 000004
【図３】
0003125679.tif 000005
【図４】
0003125679.tif 000006
【図５】
0003125679.tif 000007
【図６】
0003125679.tif 000008
【図７】
0003125679.tif 000009